(57)【要約】【課題】非侵襲で且つ連続的にバイオマーカーを測定するバイオセンサーを実現できるようにする。【解決手段】バイオセンサーは、バイオマーカーの濃度に応じて体積が変化する第１のゲル膜１１１及び、第１のゲル膜１１１と比べてバイオマーカーの濃度に対する体積の変化が小さい第２のゲル膜１１２を有する反応部１０１と、素子搭載面の上に反応部１０１を搭載し、第１のゲル膜１１１の体積の指標と、第２のゲル膜１１２の体積の指標との差を検出する検出部１０２とを備えている。第１のゲル膜１１１と第２のゲル膜１１２とは、互いに並行に配置され且つ接続部１１３において互いに接続されている。検出部１０２は、接続部１１３から第１のゲル膜１１１における第１の部位１１５までの第１の長さと、接続部１１３から第２のゲル膜１１２における第２の部位までの第２の長さとの差を検出する。【選択図】図３
2013027623.tif 000002
【特許請求の範囲】
【請求項１】
皮膚表面に分泌されるバイオマーカーの濃度に応じて体積が変化する第１のゲル膜及び、前記第１のゲル膜と比べて前記バイオマーカーの濃度に対する体積の変化が小さい第２のゲル膜を有する反応部と、
素子搭載面の上に前記反応部を搭載し、前記第１のゲル膜の体積の指標と、前記第２のゲル膜の体積の指標との差を検出する検出部とを備え、
前記第１のゲル膜と前記第２のゲル膜とは、互いに並行に配置され且つ接続部において互いに接続されており、
前記検出部は、前記接続部から第１のゲル膜における第１の部位までの第１の長さと、前記接続部から第２のゲル膜における第２の部位までの第２の長さとの差を検出することを特徴とするバイオセンサー。
【請求項２】
前記反応部は、前記第２のゲル膜における前記第２の部位が前記搭載面の上に固定され、
前記検出部は、前記第１の部位の前記搭載面の上における位置を検出するセンサーを有していることを特徴とする請求項１に記載のバイオセンサー。
【請求項３】
前記第１の部位は、磁性粒子を含み、
前記センサーは、ホール素子を含むことを特徴とする請求項２に記載のバイオセンサー。
【請求項４】
前記第１の部位は、前記第１のゲル膜の他の部位よりも導電性が高く、
前記センサーは、
前記素子搭載面の上に互いに間隔をおいて設けられ、前記第１のゲル膜と同じ方向に延び、第１の部位を介して互いに電気的に接続された第１の電極パッド及び第２の電極パッドと、
前記第１の電極パッド、前記第１の部位及び前記第２の電極パッドにより形成される経路の抵抗値を測定する抵抗測定部とを有していることを特徴とする請求項２に記載のバイオセンサー。
【請求項５】
前記第１の部位は、金属膜を含み、
前記センサーは、
前記金属膜と対向して設けられた金属配線と、
前記金属膜と前記金属配線との間の静電容量を測定する静電容量測定部とを有していることを特徴とする請求項２に記載のバイオセンサー。
【請求項６】
前記第１の部位は、前記第１のゲル膜の他の部位よりも透磁率が高く、
前記センサーは、
前記第１のゲル膜の両側方に設けられた第１の誘導コイル及び第２の誘導コイルと、
前記第１の誘導コイルと第２の誘導コイルとの間の相互インダクタンスを測定する相互インダクタンス測定部とを有していることを特徴とする請求項２に記載のバイオセンサー。
【請求項７】
前記第１の長さは、前記バイオマーカーの濃度が０の場合に前記第２の長さと等しいことを特徴とする請求項１〜６のいずれか１項に記載のバイオセンサー。
【請求項８】
前記第１の部位は、前記第１のゲル膜における一方の端部であり、
前記第２の部位は、前記第２のゲル膜における前記第１の位置と同じ側の端部であることを特徴とする請求項１〜７のいずれか１項に記載のバイオセンサー。
【請求項９】
前記反応部は、前記検出部の上に複数搭載されており、
前記検出部は、複数の前記反応部のそれぞれに対応して前記センサーを複数有していることを特徴とする請求項１〜８のいずれか１項に記載のバイオセンサー。
【請求項１０】
前記バイオマーカーは、グルコースであり、
前記第１のゲル膜は、フェニルボロン酸基又はその誘導体を含むことを特徴とする請求項１〜９のいずれか１項に記載のバイオセンサー。
【発明の詳細な説明】
【技術分野】
【０００１】
本発明は、バイオセンサーに関し、特に皮膚表面に分泌されたバイオマーカーを連続的に測定するバイオセンサーに関する。
【背景技術】
【０００２】
診断のために種々のバイオマーカーの測定が行われている。バイオマーカーを測定することにより、迅速で正確な診断が可能となる。しかし、バイオマーカーは、種々の要因によってその濃度が変化する。このため、ある時点におけるバイオマーカーの濃度を測定しただけでは、正確な評価が行えない場合がある。従って、バイオマーカーを連続的に測定することが求められている。
【０００３】
例えば、生活習慣病のバイオマーカーである血糖は、日内変動が大きい。このため、血糖値自己管理等の場合には血糖値を食後の所定の時間に測定することが求められる。しかし、現在の血糖計においては、測定の準備及びかたづけを含めると数分から十分程度の時間を必要とする。また、穿刺採血を行う必要もあり外出先等においては測定が困難であり、一定の測定条件を維持できないことがある。また、低血糖症状は糖尿病患者にとって大きなリスクであるが、１日数回の血糖値測定ではリスク管理が十分にできるとは言い難い。
【０００４】
連続的に血糖値を測定する方法として、酵素電極埋め込み方法等が検討されている（例えば、特許文献１を参照。）。しかし、この場合には、電極の埋め込みが必要であり、穿刺採血を必要とはしないが、通常の血糖計以上に侵襲性が高い。また、経皮イオントフォレシス方式による血糖値測定も検討されているが、イオントフォレシスの電気刺激により皮膚に損傷を受ける（例えば、特許文献２を参照。）。このため、結果的に非侵襲測定ということはできない。
【０００５】
このような問題は、血糖だけではなく、中性脂肪、コレステロール及びストレスマーカーといった他のバイオマーカーの測定においても同様に発生する。
【先行技術文献】
【特許文献】
【０００６】
【特許文献１】特開２００３−２６５４４４号公報
【特許文献２】特開２００４−１４１３３２号公報
【発明の概要】
【発明が解決しようとする課題】
【０００７】
以上のように、バイオマーカーの測定においては、非侵襲で且つ連続的に測定するためのセンサーが求められている。一方、血中に含まれるグルコース等のバイオマーカーは、自然拡散により皮膚表面に移動する。このため、皮膚表面におけるバイオマーカーを測定することにより、非侵襲的にバイオマーカーの測定が可能になると期待される。しかし、皮膚表面は、気温変化又は体温変化等に伴う温度変化や、発汗等による化学的な外乱要因が多く、高精度の測定が困難である。本願発明者らは、鋭意検討の結果、これらの外乱要因の影響を補償し、精度良く且つ連続的に皮膚表面におけるバイオマーカーを測定できることを見出した。
【０００８】
本発明は、本願出願人らが見出した知見に基づき、非侵襲で且つ連続的にバイオマーカーを測定するバイオセンサーを実現できるようにすることを目的とする。
【課題を解決するための手段】
【０００９】
前記の目的を達成するため、本発明はバイオセンサーを皮膚表面に配置した２つのゲル膜の体積の差により、バイオマーカーの濃度を測定する構成とする。
【００１０】
具体的に、本発明に係るバイオセンサーは、皮膚表面に分泌されるバイオマーカーの濃度に応じて体積が変化する第１のゲル膜及び、第１のゲル膜と比べてバイオマーカーの濃度に対する体積の変化が小さい第２のゲル膜を有する反応部と、素子搭載面の上に反応部を搭載し、第１のゲル膜の体積の指標と、第２のゲル膜の体積の指標との差を検出する検出部とを備え、第１のゲル膜と第２のゲル膜とは、互いに並行に配置され且つ接続部において互いに接続されており、検出部は、接続部から第１のゲル膜における第１の部位までの第１の長さと、接続部から第２のゲル膜における第２の部位までの第２の長さとの差を検出する。
【００１１】
本発明のバイオセンサーは、皮膚表面に分泌されるバイオマーカーの濃度に応じて体積が変化する第１のゲル膜及び、第１のゲル膜と比べてバイオマーカーの濃度に対する体積の変化が小さい第２のゲル膜を有する反応部と、第１のゲル膜の体積の指標と、第２のゲル膜の体積の指標との差を検出する検出部とを備えている。このため、バイオマーカー以外の要因により生じるゲルの体積の変化を補償し、皮膚表面におけるバイオマーカーの量を正確に測定することができる。また、第１のゲル膜と第２のゲル膜とは、互いに並行に配置され且つ接続部において互いに接続されているため、接続部から第１のゲル膜における第１の部位までの第１の長さと、接続部から第２のゲル膜における第２の部位までの第２の長さとの差を検出することにより、バイオマーカーによるゲルの体積変化を検出することができる。従って、既存の半導体技術により形成したセンサーにより、ゲルの体積変化を容易に検出することができる。また、小型化も容易となる。従って、非侵襲で且つ連続的にバイオマーカーを測定することが可能となる。
【００１２】
本発明のバイオセンサーにおいて、反応部は、第２のゲル膜における第２の部位が搭載面の上に固定され、検出部は、第１の部位の搭載面の上における位置を検出するセンサーを有している構成としてもよい。
【００１３】
本発明のバイオセンサーにおいて、第１の部位は、磁性粒子を含み、センサーは、ホール素子としてもよい。
【００１４】
本発明のバイオセンサーにおいて、第１の部位は、第１のゲル膜の他の部位よりも導電性が高く、センサーは、素子搭載面の上に互いに間隔をおいて設けられ、第１のゲル膜と同じ方向に延び、第１の部位を介して互いに電気的に接続された第１の電極パッド及び第２の電極パッドと、第１の電極パッド、第１の部位及び第２の電極パッドにより形成される経路の抵抗値を測定する抵抗測定部とを有している構成としてもよい。
【００１５】
本発明のバイオセンサーにおいて、第１の部位は、金属膜を含み、センサーは、金属膜と対向して設けられた金属配線と、金属膜と金属配線との間の静電容量を測定する静電容量測定部とを有している構成としてもよい。
【００１６】
本発明のバイオセンサーにおいて、第１の部位は、第１のゲル膜の他の部位よりも透磁率が高く、センサーは、第１のゲル膜の両側方に設けられた第１の誘導コイル及び第２の誘導コイルと、第１の誘導コイルと第２の誘導コイルとの間の相互インダクタンスを測定する相互インダクタンス測定部とを有している構成としてもよい。
【００１７】
本発明のバイオセンサーにおいて、第１の長さは、バイオマーカーの濃度が０の場合に第２の長さと等しいことが好ましい。
【００１８】
本発明のバイオセンサーにおいて、第１の部位は、第１のゲル膜における一方の端部であり、第２の部位は、第２のゲル膜における第１の位置と同じ側の端部としてもよい。
【００１９】
本発明のバイオセンサーにおいて、反応部は、検出部の上に複数搭載されており、検出部は、複数の反応部のそれぞれに対応してセンサーを複数有していてもよい。
【００２０】
本発明のバイオセンサーにおいて、バイオマーカーは、グルコースであり、第１のゲル膜は、フェニルボロン酸基又はその誘導体を含む構成としてもよい。
【発明の効果】
【００２１】
本発明に係るバイオセンサーによれば、非侵襲で且つ連続的にバイオマーカーを測定できる。
【図面の簡単な説明】
【００２２】
【図１】一実施形態に係るバイオセンサーの反応部を示す平面図である。
【図２】固定部において固定された反応部の動きを示す平面図である。
【図３】（ａ）及び（ｂ）は一実施形態に係るバイオセンサーを示し、（ａ）は平面図であり、（ｂ）はIIIｂ−IIIｂ線における断面図である。
【図４】（ａ）及び（ｂ）は一実施形態に係るバイオセンサーの変形例を示し、（ａ）は平面図であり、（ｂ）はIVｂ−IVｂ線における断面図である。
【図５】（ａ）及び（ｂ）は一実施形態に係るバイオセンサーの変形例を示し、（ａ）は平面図であり、（ｂ）はＶｂ−Ｖｂ線における断面図である。
【図６】（ａ）及び（ｂ）は一実施形態に係るバイオセンサーの変形例を示し、（ａ）は平面図であり、（ｂ）はVIｂ−VIｂ線における断面図である。
【図７】一実施形態に係るバイオセンサーの変形例を示す平面図である。
【図８】グルコース濃度とゲルの重量との相関を示すグラフである。
【図９】グルコース濃度と、第１のゲル膜の長さと第２のゲル膜の長さとの差との相関を示すグラフである。
【図１０】測定に用いた反応部を形成するための鋳型を示す平面図である。
【発明を実施するための形態】
【００２３】
本明細書においてゲルとは、３次元網目構造を有する高分子からなる分散質が、水等の分散媒を保持している構造をいう。以下の説明においては、分散媒が水である場合について説明するが、分散媒は水に限らない。
【００２４】
本実施形態においては、バイオマーカーとして血糖（グルコース）を例に挙げて説明する。
【００２５】
まず、本実施形態のバイオセンサーにおいてグルコース濃度を測定する原理について説明する。グルコースは、中性の低分子である。従って、電気刺激等を積極的に与えなくても自然拡散により血液中から拡散して皮膚表面に移動する。このため、血中のグルコース濃度と、皮膚表面に存在するグルコースの量との間には相関があり、皮膚表面に存在するグルコースの量を測定することにより、血中のグルコース濃度（血糖値）を求めることが可能となる。
【００２６】
フェニルボロン酸は、通常は荷電型と非荷電型との間で平衡状態となっている。グルコースが存在すると、荷電型のフェニルボロン酸とグルコースとが荷電型錯体を形成する。グルコースの存在量が増加すると、フェニルボロン酸の平衡状態は、荷電型に偏る。このため、フェニルボロン酸基を導入したゲルは、グルコースが存在するとゲル内の荷電基が増加し、ゲル内の浸透圧が上昇するため、体積が増加する（膨潤する）。皮膚の表面にフェニルボロン酸を導入したゲルを皮膚表面に貼り付けると、皮膚表面に存在するグルコースの量に応じて、ゲルの体積が変化する。従って、ゲルの体積を測定することにより血糖値を求めることができると期待される。
【００２７】
しかし、ゲルの体積はグルコース濃度以外の、温度、水分量、塩濃度及び水素イオン濃度（ｐＨ）等の要因によっても変化する。このため、皮膚表面に存在するグルコースの量を正確に測定するためには、グルコース以外の要因による体積の変化を補償する必要がある。フェニルボロン酸基を導入していないゲルは、グルコースによる体積の変化はほとんど生じない。一方、温度、水分量及び塩濃度等による体積の変化は、フェニルボロン酸基を導入したゲルとほぼ同じになる。また、フェニルボロン酸をモノエステルとしたグルコースに対する応答性を有していない誘導体を導入したゲルは、フェニルボロン酸基を導入したゲルとｐＨによる体積変化をほぼ等しくすることができる。
【００２８】
このため、フェニルボロン酸基を導入していないゲル又はグルコースに対する応答性を有していないフェニルボロン酸の誘導体を導入したゲル等をリファレンスとして、フェニルボロン酸を導入したゲルの体積変化を補正すれば、グルコース以外の要因による体積の変化を補償し、血糖値を正確に測定することができる。例えば、フェニルボロン酸基を導入したゲルとフェニルボロン酸基を導入していないゲルとを皮膚表面に貼り付け、両者の体積の差を測定すればよい。
【００２９】
本実施形態のバイオセンサーは、図１に示すように、互いに間隔をおいて並行に配置された第１のゲル膜１１１と第２のゲル膜１１２とが、接続部１１３において接続された反応部１０１を用いて血糖値を測定する。第１のゲル膜１１１は、フェニルボロン酸基等のグルコースと反応する官能基を有し、グルコース濃度に応じて体積（膨潤度）が変化する。第２のゲル膜１１２は、グルコースと反応する官能基を有しておらず、グルコース濃度によっては体積がほとんど変化しない。第１のゲル膜１１１は、例えばアクリルアミドフェニルボロン酸（ＡＡＰＢＡ）とアクリルアミド（ＡＡｍ）との共重合体（ポリＡＡＰＢＡ−ＡＡｍ）のゲルとすればよい。第２のゲル膜１１２はＡＡｍの重合体（ポリＡＡｍ）のゲルとすればよい。
【００３０】
反応部１０１を被験者の皮膚表面に貼り付けると、第１のゲル膜１１１及び第２のゲル膜１１２の体積は、温度、水分量及び塩濃度等に応じてほぼ同じだけ変化する。また、皮膚表面に存在するグルコースの量に応じて第１のゲル膜１１１の体積が変化する。第１のゲル膜１１１及び第２のゲル膜１１２の体積の変化は、第１のゲル膜１１１及び第２のゲル膜１１２の長さの変化として検出することができる。従って、第１のゲル膜１１１の長さの変化ΔＬ１は、皮膚表面のグルコースの量及び体温の変動及び発汗の影響等の変動要因の合計を表し、第２のゲル膜１１２の長さの変化ΔＬ２は、体温の変動及び発汗の影響等の変動要因を表している。従って、第１のゲル膜１１１の長さＬ１と第２のゲル膜１１２の長さＬ２との差Ｌ１−Ｌ２を測定することにより、変動要因の影響をほとんど受けることなく、皮膚表面におけるグルコースの量を検出することができる。さらに、皮膚表面のグルコースの量から、血糖値を求めることができる。
【００３１】
本実施形態の反応部１０１は、第１のゲル膜１１１と第２のゲル膜１１２とが、互いに間隔をおいて並行に配置されており、一方の端部が接続部１１３により接続されている。このため、接続部１１３を固定した状態において、第１のゲル膜１１１及び第２のゲル膜１１２における接続部１１３と反対側の末端の位置を測定すれば、第１のゲル膜１１１の長さと第２のゲル膜１１２の長さとの差を求めることができる。
【００３２】
また、図２に示すように第２のゲル膜１１２における接続部１１３と反対側の末端の位置を固定した状態とすれば、第１のゲル膜１１１の接続部１１３と反対側の末端の位置を測定するだけで、第１のゲル膜１１１の体積と第２のゲル膜１１２の体積との差を求めることができる。
【００３３】
第２のゲル膜１１２の接続部１１３と反対側の末端は、位置が固定された固定部１１４であるため、第２のゲル膜１１２の体積が変化すると、第２のゲル膜１１２の接続部１１３側の末端の位置は、図２の−方向に移動する。接続部１１３において第２のゲル膜１１２と接続されている第１のゲル膜１１１も同様に移動する。温度、水分量又は塩濃度等が変化した場合には、第１のゲル膜１１１の体積の変化と第２のゲル膜１１２の体積の変化とはほぼ等しくなるため、第１のゲル膜１１１の接続部１１３と反対側の末端の位置は移動しない。一方、グルコース濃度が上昇した場合には、第１のゲル膜１１１の体積変化は、第２のゲル膜の体積変化よりも大きくなる。このため、第１のゲル膜１１１の接続部１１３と反対側の末端は、図２の＋方向に移動する。従って、第１のゲル膜１１１の接続部１１３と反対側の末端の位置の変化量を測定すれば、第１のゲル膜１１１の長さＬ１と第２のゲル膜Ｌ２の長さの差Ｌ１−Ｌ２を求めることができる。これにより、温度、水分量又は塩濃度等の変化を補償した血糖値を求めることができる。
【００３４】
なお、第２のゲル膜１１２の接続部１１３と反対側の末端を固定部１１４とする場合について説明したが、固定部１１４は必ずしも末端である必要はない。固定部１１４は第２のゲル膜１１２の任意の位置に設けることができる。固定部１１４が末端でない場合には、固定部１１４よりも接続部１１３側の部分は図２の−方向に移動し、接続部１１３と反対側の部分は＋方向に移動する。このため、固定部１１４が末端でない場合には、補正が必要となる。しかし、固定部１１４と末端との位置のずれが小さい場合には誤差として無視することができる。
【００３５】
また、第１のゲル膜１１１の末端部の位置の変化を測定する場合について説明したが、第１のゲル膜１１１はほぼ均一に膨張するため、第１のゲル膜１１１の任意の部位についてその位置の変化を測定すればよい。
【００３６】
接続部１１３の位置も末端である必要はない。第１のゲル膜１１１と第２のゲル膜１１２とが、任意の箇所において接続されていればよい。但し、接続部１１３と、位置の変化を測定する部位との間隔が大きい方が測定が容易となる。接続部１１３は、第１のゲル膜１１１と第２のゲル膜１１２とが接続されていればどのような構成としてもよい。第１のゲル膜１１１と第２のゲル膜１１２とが基本骨格が同じポリマーである場合には、モノマーを重合して第１のゲル膜１１１及び第２のゲル膜１１２を形成する際に、接続部となる部分においてモノマーの相互拡散が生じるようにすれば容易に接続部１１３を形成することができる。また、接着材等により第１のゲル膜１１１と第２のゲル膜１１２とを接着してもよい。
【００３７】
具体的には図３に示すように、反応部１０１を検出部１０２の上に配置したグルコースセンサーとすればよい。検出部１０２は、基板（図示せず）の上にホール素子１２２が形成された半導体チップとすればよい。半導体チップは、封止樹脂１２４等により封止されている。また、第１のゲル膜１１１は、接続部１１３と反対側の末端に磁性体の微粒子が埋め込まれた測位部１１５を有している構成とする。樹脂封止された検出部１０２の上面（反応部搭載面）には、第２のゲル膜１１２を固定するための固定ピン１２５が設けられている。第２のゲル膜１１２の接続部１１３と反対側の末端は、ホール素子１２２の上に位置するように固定ピン１２５により固定されており、第１のゲル膜１１１の測位部１１５もホール素子１２２の上に位置している。このような構成とすることにより、測位部１１５の位置をホール素子１２２により検出することができる。予め検量線を作成しておくことにより、測位部１１５の位置からグルコース濃度を求めることができる。半導体チップ１２１に、検量線の記憶部、演算部及び表示装置の駆動部等を設けておけば、グルコース濃度を容易に測定することができる。また、半導体チップ１２１に無線通信機能を付与し、得られたデータを別に設けられた測定機器本体に送信する構成としてもよい。この場合には、検量線の当てはめ等の演算は測定機器本体において行ってもよい。
【００３８】
測位部１１５に添加する磁性体の微粒子は、磁荷を帯びていればどのようなものであってもよい。例えば、フェライト等の強磁性体微粒子等とすればよい。図３においては第２のゲル膜１１２を固定ピン１２５により固定する方法を示したが、どのような方法により固定してもよい。例えば、接着剤等により反応部搭載面の上に固定してもよい。但し、固定ピン１２５により固定すれば、反応部１０１の交換を容易に行うことができる。また、固定ピン１２５はどのような方法により形成してもよいが、検出部１０２が樹脂封止された半導体チップである場合には、封止樹脂にバリを発生させることにより容易に固定ピン１２５を形成することができる。
【００３９】
図８においては、測位部の位置をホール素子１２２により検出する例を示したが、測位部の位置を他の方法により検出してもよい。例えば、図４に示すように測位部の位置を電気的に検出する構成としてもよい。この場合、図４に示すように検出部１０２である半導体チップの上面には、互いに間隔をおいて平行に延びる第１の電極パッド１３１及び第２の電極パッド１３２が設けられている。第１の電極パッド１には定電流電源１３４及び電圧検出部１３５が接続されており、第２の電極パッド１３２は接地されている。第１のゲル膜１１１の接続部１１３と反対側の端部には、金属微粒子、グラファイト若しくはカーボンファイバー等の炭素微粒子又はその他の導電性微粒子等を埋め込んだ高電気伝導部である測位部１１６が設けられている。測位部１１６は、第１のゲル膜１１１の他の部分と比べて電気伝導度が高ければよい。
【００４０】
第１のゲル膜１１１は、第１の電極パッド１３１及び第２の電極パッド１３２の上に配置されており、高電気伝導部である測位部１１６により第１の電極パッド１３１と第２の電極パッド１３２とは電気的に接続されている。このため、測位部１１６の位置が変化すると、第１の電極パッド１３１の所定の位置から第２の電極パッド１３１の所定の位置までの経路の長さが変化し、経路の抵抗値が変化する。このため、経路の抵抗値を検出部１０２に設けた抵抗値測定部により測定すれば、測位部１１６の位置を検出することができる。
【００４１】
図４において、抵抗値測定部は定電流電源１３４及び電圧検出部１３５を有している。図４において第１の電極パッドの一端に、定電流電源１３４が接続され、第２の電極パッドの一端が接地されているため、経路の抵抗値の変化は電圧の変化として現れる。このため、電圧検出部１３５により経路に印加されている電圧を測定することにより、測位部１１６の位置を検出することができる。
【００４２】
図４は、第１の電極パッド１３１及び第２の電極パッド１３２が、半導体チップの素子搭載面の上に設けられ、第１のゲル膜１１１の底面と接する例を示したが、第１の電極パッド１３１及び第２の電極パッド１３２は測位部１１６を介して導通すればよい。このため、第１の電極パッド１３１及び第２の電極パッド１３２の少なくとも一方が素子搭載面から突出しており、第１のゲル膜１１１の側面と接するような構成としてもかまわない。また、定電流電源１３４及び電圧検出部１３５は、第１の電極パッド１３１、測位部１１６及び第２の電極パッド１３２により形成される経路に一定の電流を供給し、経路に印加される電圧の変化を検出できればどのように接続されていてもよい。
【００４３】
図５に示すように、静電容量により測位部の位置を検出してもよい。この場合、図５に示すように検出部１０２である半導体チップには、金属配線１４１が埋め込まれており、第１のゲル膜１１１の末端部には金属膜１１７Ａが埋め込まれた測位部１１７が設けられており、第１のゲル膜１１１は金属配線１４１の上方に配置されている。測位部１１７の位置が移動すると、金属配線１４１と金属膜１１７Ａとの対向する部分の面積が変化し、金属配線１４１と金属膜１１７Ａとの間の静電容量が変化する。このため、検出部１０２に設けた静電容量測定部により金属配線１４１と測位部１１７との間の静電容量を測定することにより、測位部１１７の位置を検出することができる。
【００４４】
図３において静電容量測定部は、金属配線１４１に接続された定電圧電源１４２及び電流検出部１４３を有している。電流検出部１４３は接地されており、金属膜１１７Ａは被験者の体を介して接地されているため、金属配線１４１と金属膜１１７Ａとの間の静電容量の変化は電流値の変化として現れる。従って、電流の値から測位部１１７の位置を検出することができる。
【００４５】
図６に示すように、透磁率により測位部の位置を検出してもよい。この場合、図６に示すように検出部１０２である半導体チップには互いに対向する第１の誘導コイル１５１及び第２の誘導コイル１５２が設けられており、第１のゲル膜１１１の末端部には磁性粒子等を含む高透磁率部である測位部１１８が設けられており、第１のゲル膜１１１は第１の誘導コイル１５１及び第２の誘導コイル１５２の間に配置されている。測位部１１８の位置が移動すると、相互インダクタンスが変化する。このため、第１の誘導コイル１５１と第２の誘導コイル１５２との間の相互インダクタンスを検出部１０２に設けた相互インダクタンス測定部により測定すれば、測位部１１８の位置が検出できる。
【００４６】
図６において相互インダクタンス測定部は、第１の誘導コイル１５１に接続された交流電源１５４と、第２の誘導コイル１５２に接続された電流検出部１５５とを有している。従って、相互インダクタンスの変化は、第２の誘導コイル１５２に流れる電流の変化として現れ、電流の変化を検出すれば、測位部１１８の位置を検出することができる。
【００４７】
この他、第１のゲル膜１１１の膨潤による変位を測定できればどのような方法により測定を行ってもよい。例えば、温度変化を利用する方法等であってもよい。また、測位部を第１のゲル膜１１１の末端部に設ける場合について説明したが、測位部を末端に設ける必要はない。第１のゲル膜１１１の任意の位置に設けることができる。
【００４８】
なお、第１のゲル膜１１１及び第２のゲル膜１１２の両方に測位部を設け、両方の測位部の位置を検出してもかまわない。この場合には、接続部１１３を固定すればよい。第１のゲル膜１１１の測位部と第２のゲル膜１１２の測位部とは、グルコースが存在していない場合に等しくなるように設定することが好ましい。しかし、異なっていてもかまわない。
【００４９】
本実施形態のバイオセンサーは、ゲルにより形成された反応部を被験者の皮膚に貼り付けておくだけで、血糖値を測定することができる。このため、被験者への負担が少なく連続的に測定を行うことができる。連続的に収集したデータは、半導体チップ１２１にメモリ部等を設け蓄積すればよい。また、半導体チップ１２１に無線通信機能を付加し、診断機器等にデータを無線送信してもよい。例えば、ボディーエリアネットワーク等を用いて、バイオセンサーとは別に設けた携帯端末にデータを送信する構成とすればバイオセンサーをさらに小型化し、バイオセンサーの装着による違和感をより低減することができる。
【００５０】
血糖値の変化をリアルタイムで追跡するためには、第１のゲル膜１１１及び第２のゲル膜１１２の内部へグルコースが迅速に拡散することが好ましい。また、温度変化等も迅速に第１のゲル膜１１１及び第２のゲル膜１１２伝わることが好ましい。このため、第１のゲル膜１１１及び第２のゲル膜１１２は、できるだけ小さくすることが好ましい。特に、厚さを薄くした方が応答性が向上する。しかし、第１のゲル膜１１１及び第２のゲル膜１１２を微細化すると、第１のゲル膜１１１及び第２のゲル膜１１２の体積の変化量の絶対値も小さくなる。このため、測定誤差が大きくなるおそれがある。このため、図７に示すように、複数の反応部１０１を検出部１０２の上に設ける構成としてもよい。検出部１０２は、反応部１０１のそれぞれに対応するホール素子１２２を有している。複数の反応部１０１の変化を積算することにより反応部１０１を微細化した場合にも精度良く血糖値を測定することが可能となる。なお、ホール素子以外のセンサーを用いる構成としてもよい。
【００５１】
例えば、１ｍｍ角程度の半導体チップである検出部１０２の上に、５×５個程度のマトリックス状に反応部１０１を配置すればよい。このようにすれば、各反応部１０１のサイズは０．１ｍｍ角程度とすることができる。第１のゲル膜１１１は、グルコース濃度の変化により１％〜１０％程度の体積の変化が生じるため、十分に検出することが可能である。
【００５２】
検出部１０２の上に複数の反応部１０１を配置する場合には、検出部１０２に各反応部１０１のデータを積算したり、平均を求めたりする演算部を設けてもよい。また、演算部はバイオセンサーとは別に設けてもよい。検出部は、測位部の位置の読み取りと、読み取ったデータを無線通信等により測定器本体に転送し、測定器本体において各種のデータ処理を行うようにした方が、バイオセンサーの小型化及び低消費電力化に有利である。
【００５３】
第１のゲル膜１１１は、フェニルボロン酸基を有する、高分子のゲルにより形成すればよい。例えば、４−（ジヒドロキシボロノ）スチレン、３−（メタ）アクリルアミドフェニルボロン酸、Ｎ−（４’−ビニルベンジル）−４−フェニルボロン酸カルボキサミド、３−（（メタ）アクリルアミジルグリシルアミド）フェニルボロン酸、３−（メタ）アクリルアミド−２−トリフルオロメチルフェニルボロン酸、３−（メタ）アクリルアミド−４−ペンタフルオロエチルフェニルボロン酸、５−（メタ）アクリルアミド−２−ヘプタフルオロプロピルフェニルボロン酸、５−（（メタ）アクリルアミジルグリシルアミド）−２−ヘプタフルオロプロピルフェニルボロン酸、５−（メタ）アクリルアミド−２，４，６−ビス（ヘプタフルオロプロピル）フェニルボロン酸、３−（メタ）アクリルアミド−２−（１，１，２，２，３，３−ヘキサフルオロプロピル）フェニルボロン酸、３−（メタ）アクリルアミド−４−（１−クロロ−１，１，２，２，３，３−ヘキサフルオロプロピル）フェニルボロン酸、又は５−（メタ）アクリルアミド−２−（ペルフルオロ−１，４−ジメチル２，５−ジオキサオクチル）フェニルボロン酸等のモノマーを、他のモノマーと共重合した共重合体からなるゲルにより形成すればよい。共重合するモノマーは、基本構造が同じで側鎖にフェニルボロン酸基を有していないモノマーとすればよい。また、フェニルボロン酸の一部にフッ素等が導入されたフェニルボロン酸の誘導体等が導入されたモノマーを共重合した共重合体としてもよく、フェニルボロン酸基に代えてボロン酸基を含有している共重合体であってもよい。さらに、グルコースと結合してゲル内に荷電基を増加させることができれば、どのような官能基であってもよい。
【００５４】
第２のゲル膜１１２は、温度、水分量、塩濃度及びｐＨ等による体積の変化が第１のゲル膜１１１と等しく、グルコースにより体積の変化が生じないことが好ましい。但し、温度、水分量、塩濃度及びｐＨ等による体積の変化が第１のゲル膜１１１と完全に一致している必要はない。また、グルコースによる体積変化が、完全に０でなくても、第１のゲル膜１１１よりも小さければよい。第２のゲル膜１１２は、基本骨格が第１のゲル膜１１１と同一で、側鎖にフェニルボロン酸基等を有していない重合体とすればよい。また、基本骨格が第１のゲル膜１１１と同一で、側鎖にグルコースに対する応答性を有していないフェニルボロン酸の誘導体等を導入した重合体としてもよい。但し、第１のゲル膜１１１とは全く異なった基本骨格を有する重合体であってもよい。
【００５５】
具体的に、ポリＡＡＰＢＡ−ＡＡｍゲルのグルコースによる変化を測定した結果を以下に示す。ポリＡＡＰＢＡ−ＡＡｍゲルを水素イオン濃度（ｐＨ）が８．６のグルコース溶液に浸漬したところ、図８に示すように、グルコース濃度に応じてゲルの重量が増加することが確認された。なお、測定には、厚さが１ｍｍ、直径が３ｍｍの円盤状に成型したゲルを８枚ずつ用いた。グルコース溶液への浸漬時間は９０分間とし、溶液から取り出した直後の重量を電子天秤により測定した。
【００５６】
次に、ポリＡＡＰＢＡ−ＡＡｍゲルからなる第１のゲル膜１１１と、ポリＡＡｍゲルからなる第２のゲル膜１１２とを有する反応部１０１を形成し、第１のゲル膜１１１の長さＬ１と第２のゲル膜１１２の長さＬ２との差Ｌ１−Ｌ２を測定した結果を図９に示す。
【００５７】
測定に用いたゲルは、図１０に示すような鋳型を用いて形成した。まず、鋳型のＡ部分にＡＡｍ水溶液を注入し、重合開始剤を加えて重合を開始した。重合開始から５分後、ＡＡＰＢＡ、ＡＡｍ及び重合開始剤を含む混合水溶液を鋳型のＢ部分に注入した。Ａ部分に注入されたＡＡｍの未重合モノマーと、Ｂ部分に注入されたＡＡＰＢＡ及びＡＡｍのモノマーとが互いに水溶液中を拡散しながら重合される。このため、ポリＡＡＰＢＡ−ＡＡｍからなる第１のゲル膜１１１とポリＡＡｍからなる第２のゲル膜とを接続する接続部１１３が形成される。
【００５８】
得られた反応部１０１をｐＨ８．６のグルコース水溶液に３時間浸漬した後、第１のゲル膜１１１の長さＬ１と第２のゲル膜１１２の長さＬ２とを測定しその差Ｌ１−Ｌ２を求めた。図９に示すように、グルコース濃度に応じてＬ１−Ｌ２の値が変化した。
【００５９】
このように、第１のゲル膜１１１と第２のゲル膜１１２との長さの差を測定することにより、グルコース以外の外的要因の影響をほとんど受けることなく、血糖値を正確に測定できることは明らかである。
【００６０】
本実施形態において、バイオマーカーが血糖である例を示したが、皮膚表面に拡散するバイオマーカーであれば、同様の方法により測定することができる。例えば、中性脂肪、コレステロール及びストレスマーカーの測定を同様の方法により行うことができる。
【産業上の利用可能性】
【００６１】
本発明に係るバイオセンサーは、非侵襲で且つ連続的にバイオマーカーを測定でき、特に、皮膚表面に分泌されるバイオマーカーを連続的に測定する検査機器等に用いるバイオセンサーとして有用である。
【符号の説明】
【００６２】
１０１      反応部
１０２      検出部
１１１      第１のゲル膜
１１２      第２のゲル膜
１１３      接続部
１１４      固定部
１１５      測位部
１１６      測位部
１１７      測位部
１１７Ａ    金属膜
１１８      測位部
１２１      半導体チップ
１２２      ホール素子
１２４      封止樹脂
１２５      固定ピン
１３１      第１の電極パッド
１３１      第２の電極パッド
１３２      第２の電極パッド
１３４      定電流電源
１３５      電圧検出部
１４１      金属配線
１４２      定電圧電源
１４３      電流検出部
１５１      第１の誘導コイル
１５２      第２の誘導コイル
１５４      交流電源
１５５      電流検出部
【図１】
2013027623.tif 000003
【図２】
2013027623.tif 000004
【図３】
2013027623.tif 000005
【図４】
2013027623.tif 000006
【図５】
2013027623.tif 000007
【図６】
2013027623.tif 000008
【図７】
2013027623.tif 000009
【図８】
2013027623.tif 000010
【図９】
2013027623.tif 000011
【図１０】
2013027623.tif 000012
【手続補正書】
【提出日】平成23年8月5日(2011.8.5)
【手続補正１】
【補正対象書類名】明細書
【補正対象項目名】全文
【補正方法】変更
【補正の内容】
【発明の詳細な説明】
【技術分野】
【０００１】
本発明は、バイオセンサーに関し、特に皮膚表面に分泌されたバイオマーカーを連続的に測定するバイオセンサーに関する。
【背景技術】
【０００２】
診断のために種々のバイオマーカーの測定が行われている。バイオマーカーを測定することにより、迅速で正確な診断が可能となる。しかし、バイオマーカーは、種々の要因によってその濃度が変化する。このため、ある時点におけるバイオマーカーの濃度を測定しただけでは、正確な評価が行えない場合がある。従って、バイオマーカーを連続的に測定することが求められている。
【０００３】
例えば、生活習慣病のバイオマーカーである血糖は、日内変動が大きい。このため、血糖値自己管理等の場合には血糖値を食後の所定の時間に測定することが求められる。しかし、現在の血糖計においては、測定の準備及びかたづけを含めると数分から十分程度の時間を必要とする。また、穿刺採血を行う必要もあり外出先等においては測定が困難であり、一定の測定条件を維持できないことがある。また、低血糖症状は糖尿病患者にとって大きなリスクであるが、１日数回の血糖値測定ではリスク管理が十分にできるとは言い難い。
【０００４】
連続的に血糖値を測定する方法として、酵素電極埋め込み方法等が検討されている（例えば、特許文献１を参照。）。しかし、この場合には、電極の埋め込みが必要であり、穿刺採血を必要とはしないが、通常の血糖計以上に侵襲性が高い。また、経皮イオントフォレシス方式による血糖値測定も検討されているが、イオントフォレシスの電気刺激により皮膚に損傷を受ける（例えば、特許文献２を参照。）。このため、結果的に非侵襲測定ということはできない。
【０００５】
このような問題は、血糖だけではなく、中性脂肪、コレステロール及びストレスマーカーといった他のバイオマーカーの測定においても同様に発生する。
【先行技術文献】
【特許文献】
【０００６】
【特許文献１】特開２００３−２６５４４４号公報
【特許文献２】特開２００４−１４１３３２号公報
【発明の概要】
【発明が解決しようとする課題】
【０００７】
以上のように、バイオマーカーの測定においては、非侵襲で且つ連続的に測定するためのセンサーが求められている。一方、血中に含まれるグルコース等のバイオマーカーは、自然拡散により皮膚表面に移動する。このため、皮膚表面におけるバイオマーカーを測定することにより、非侵襲的にバイオマーカーの測定が可能になると期待される。しかし、皮膚表面は、気温変化又は体温変化等に伴う温度変化や、発汗等による化学的な外乱要因が多く、高精度の測定が困難である。本願発明者らは、鋭意検討の結果、これらの外乱要因の影響を補償し、精度良く且つ連続的に皮膚表面におけるバイオマーカーを測定できることを見出した。
【０００８】
本発明は、本願出願人らが見出した知見に基づき、非侵襲で且つ連続的にバイオマーカーを測定するバイオセンサーを実現できるようにすることを目的とする。
【課題を解決するための手段】
【０００９】
前記の目的を達成するため、本発明はバイオセンサーを皮膚表面に配置した２つのゲル膜の体積の差により、バイオマーカーの濃度を測定する構成とする。
【００１０】
具体的に、本発明に係るバイオセンサーは、皮膚表面に分泌されるバイオマーカーの濃度に応じて体積が変化する第１のゲル膜及び、第１のゲル膜と比べてバイオマーカーの濃度に対する体積の変化が小さい第２のゲル膜を有する反応部と、素子搭載面の上に反応部を搭載し、第１のゲル膜の体積の指標と、第２のゲル膜の体積の指標との差を検出する検出部とを備え、第１のゲル膜と第２のゲル膜とは、互いに並行に配置され且つ接続部において互いに接続されており、検出部は、接続部から第１のゲル膜における第１の部位までの第１の長さと、接続部から第２のゲル膜における第２の部位までの第２の長さとの差を検出する。
【００１１】
本発明のバイオセンサーは、皮膚表面に分泌されるバイオマーカーの濃度に応じて体積が変化する第１のゲル膜及び、第１のゲル膜と比べてバイオマーカーの濃度に対する体積の変化が小さい第２のゲル膜を有する反応部と、第１のゲル膜の体積の指標と、第２のゲル膜の体積の指標との差を検出する検出部とを備えている。このため、バイオマーカー以外の要因により生じるゲルの体積の変化を補償し、皮膚表面におけるバイオマーカーの量を正確に測定することができる。また、第１のゲル膜と第２のゲル膜とは、互いに並行に配置され且つ接続部において互いに接続されているため、接続部から第１のゲル膜における第１の部位までの第１の長さと、接続部から第２のゲル膜における第２の部位までの第２の長さとの差を検出することにより、バイオマーカーによるゲルの体積変化を検出することができる。従って、既存の半導体技術により形成したセンサーにより、ゲルの体積変化を容易に検出することができる。また、小型化も容易となる。従って、非侵襲で且つ連続的にバイオマーカーを測定することが可能となる。
【００１２】
本発明のバイオセンサーにおいて、反応部は、第２のゲル膜における第２の部位が搭載面の上に固定され、検出部は、第１の部位の搭載面の上における位置を検出するセンサーを有している構成としてもよい。
【００１３】
本発明のバイオセンサーにおいて、第１の部位は、磁性粒子を含み、センサーは、ホール素子としてもよい。
【００１４】
本発明のバイオセンサーにおいて、第１の部位は、第１のゲル膜の他の部位よりも導電性が高く、センサーは、素子搭載面の上に互いに間隔をおいて設けられ、第１のゲル膜と同じ方向に延び、第１の部位を介して互いに電気的に接続された第１の電極パッド及び第２の電極パッドと、第１の電極パッド、第１の部位及び第２の電極パッドにより形成される経路の抵抗値を測定する抵抗測定部とを有している構成としてもよい。
【００１５】
本発明のバイオセンサーにおいて、第１の部位は、金属膜を含み、センサーは、金属膜と対向して設けられた金属配線と、金属膜と金属配線との間の静電容量を測定する静電容量測定部とを有している構成としてもよい。
【００１６】
本発明のバイオセンサーにおいて、第１の部位は、第１のゲル膜の他の部位よりも透磁率が高く、センサーは、第１のゲル膜の両側方に設けられた第１の誘導コイル及び第２の誘導コイルと、第１の誘導コイルと第２の誘導コイルとの間の相互インダクタンスを測定する相互インダクタンス測定部とを有している構成としてもよい。
【００１７】
本発明のバイオセンサーにおいて、第１の長さは、バイオマーカーの濃度が０の場合に第２の長さと等しいことが好ましい。
【００１８】
本発明のバイオセンサーにおいて、第１の部位は、第１のゲル膜における一方の端部であり、第２の部位は、第２のゲル膜における第１の位置と同じ側の端部としてもよい。
【００１９】
本発明のバイオセンサーにおいて、反応部は、検出部の上に複数搭載されており、検出部は、複数の反応部のそれぞれに対応してセンサーを複数有していてもよい。
【００２０】
本発明のバイオセンサーにおいて、バイオマーカーは、グルコースであり、第１のゲル膜は、フェニルボロン酸基又はその誘導体を含む構成としてもよい。
【発明の効果】
【００２１】
本発明に係るバイオセンサーによれば、非侵襲で且つ連続的にバイオマーカーを測定できる。
【図面の簡単な説明】
【００２２】
【図１】一実施形態に係るバイオセンサーの反応部を示す平面図である。
【図２】固定部において固定された反応部の動きを示す平面図である。
【図３】（ａ）及び（ｂ）は一実施形態に係るバイオセンサーを示し、（ａ）は平面図であり、（ｂ）はIIIｂ−IIIｂ線における断面図である。
【図４】（ａ）及び（ｂ）は一実施形態に係るバイオセンサーの変形例を示し、（ａ）は平面図であり、（ｂ）はIVｂ−IVｂ線における断面図である。
【図５】（ａ）及び（ｂ）は一実施形態に係るバイオセンサーの変形例を示し、（ａ）は平面図であり、（ｂ）はＶｂ−Ｖｂ線における断面図である。
【図６】（ａ）及び（ｂ）は一実施形態に係るバイオセンサーの変形例を示し、（ａ）は平面図であり、（ｂ）はVIｂ−VIｂ線における断面図である。
【図７】一実施形態に係るバイオセンサーの変形例を示す平面図である。
【図８】グルコース濃度とゲルの重量との相関を示すグラフである。
【図９】グルコース濃度と、第１のゲル膜の長さと第２のゲル膜の長さとの差との相関を示すグラフである。
【図１０】測定に用いた反応部を形成するための鋳型を示す平面図である。
【発明を実施するための形態】
【００２３】
本明細書においてゲルとは、３次元網目構造を有する高分子からなる分散質が、水等の分散媒を保持している構造をいう。以下の説明においては、分散媒が水である場合について説明するが、分散媒は水に限らない。
【００２４】
本実施形態においては、バイオマーカーとして血糖（グルコース）を例に挙げて説明する。
【００２５】
まず、本実施形態のバイオセンサーにおいてグルコース濃度を測定する原理について説明する。グルコースは、中性の低分子である。従って、電気刺激等を積極的に与えなくても自然拡散により血液中から拡散して皮膚表面に移動する。このため、血中のグルコース濃度と、皮膚表面に存在するグルコースの量との間には相関があり、皮膚表面に存在するグルコースの量を測定することにより、血中のグルコース濃度（血糖値）を求めることが可能となる。
【００２６】
フェニルボロン酸は、通常は荷電型と非荷電型との間で平衡状態となっている。グルコースが存在すると、荷電型のフェニルボロン酸とグルコースとが荷電型錯体を形成する。グルコースの存在量が増加すると、フェニルボロン酸の平衡状態は、荷電型に偏る。このため、フェニルボロン酸基を導入したゲルは、グルコースが存在するとゲル内の荷電基が増加し、ゲル内の浸透圧が上昇するため、体積が増加する（膨潤する）。皮膚の表面にフェニルボロン酸を導入したゲルを皮膚表面に貼り付けると、皮膚表面に存在するグルコースの量に応じて、ゲルの体積が変化する。従って、ゲルの体積を測定することにより血糖値を求めることができると期待される。
【００２７】
しかし、ゲルの体積はグルコース濃度以外の、温度、水分量、塩濃度及び水素イオン濃度（ｐＨ）等の要因によっても変化する。このため、皮膚表面に存在するグルコースの量を正確に測定するためには、グルコース以外の要因による体積の変化を補償する必要がある。フェニルボロン酸基を導入していないゲルは、グルコースによる体積の変化はほとんど生じない。一方、温度、水分量及び塩濃度等による体積の変化は、フェニルボロン酸基を導入したゲルとほぼ同じになる。また、フェニルボロン酸をモノエステルとしたグルコースに対する応答性を有していない誘導体を導入したゲルは、フェニルボロン酸基を導入したゲルとｐＨによる体積変化をほぼ等しくすることができる。
【００２８】
このため、フェニルボロン酸基を導入していないゲル又はグルコースに対する応答性を有していないフェニルボロン酸の誘導体を導入したゲル等をリファレンスとして、フェニルボロン酸を導入したゲルの体積変化を補正すれば、グルコース以外の要因による体積の変化を補償し、血糖値を正確に測定することができる。例えば、フェニルボロン酸基を導入したゲルとフェニルボロン酸基を導入していないゲルとを皮膚表面に貼り付け、両者の体積の差を測定すればよい。
【００２９】
本実施形態のバイオセンサーは、図１に示すように、互いに間隔をおいて並行に配置された第１のゲル膜１１１と第２のゲル膜１１２とが、接続部１１３において接続された反応部１０１を用いて血糖値を測定する。第１のゲル膜１１１は、フェニルボロン酸基等のグルコースと反応する官能基を有し、グルコース濃度に応じて体積（膨潤度）が変化する。第２のゲル膜１１２は、グルコースと反応する官能基を有しておらず、グルコース濃度によっては体積がほとんど変化しない。第１のゲル膜１１１は、例えばアクリルアミドフェニルボロン酸（ＡＡＰＢＡ）とアクリルアミド（ＡＡｍ）との共重合体（ポリＡＡＰＢＡ−ＡＡｍ）のゲルとすればよい。第２のゲル膜１１２はＡＡｍの重合体（ポリＡＡｍ）のゲルとすればよい。
【００３０】
反応部１０１を被験者の皮膚表面に貼り付けると、第１のゲル膜１１１及び第２のゲル膜１１２の体積は、温度、水分量及び塩濃度等に応じてほぼ同じだけ変化する。また、皮膚表面に存在するグルコースの量に応じて第１のゲル膜１１１の体積が変化する。第１のゲル膜１１１及び第２のゲル膜１１２の体積の変化は、第１のゲル膜１１１及び第２のゲル膜１１２の長さの変化として検出することができる。従って、第１のゲル膜１１１の長さの変化ΔＬ１は、皮膚表面のグルコースの量及び体温の変動及び発汗の影響等の変動要因の合計を表し、第２のゲル膜１１２の長さの変化ΔＬ２は、体温の変動及び発汗の影響等の変動要因を表している。従って、第１のゲル膜１１１の長さＬ１と第２のゲル膜１１２の長さＬ２との差Ｌ１−Ｌ２を測定することにより、変動要因の影響をほとんど受けることなく、皮膚表面におけるグルコースの量を検出することができる。さらに、皮膚表面のグルコースの量から、血糖値を求めることができる。
【００３１】
本実施形態の反応部１０１は、第１のゲル膜１１１と第２のゲル膜１１２とが、互いに間隔をおいて並行に配置されており、一方の端部が接続部１１３により接続されている。このため、接続部１１３を固定した状態において、第１のゲル膜１１１及び第２のゲル膜１１２における接続部１１３と反対側の末端の位置を測定すれば、第１のゲル膜１１１の長さと第２のゲル膜１１２の長さとの差を求めることができる。
【００３２】
また、図２に示すように第２のゲル膜１１２における接続部１１３と反対側の末端の位置を固定した状態とすれば、第１のゲル膜１１１の接続部１１３と反対側の末端の位置を測定するだけで、第１のゲル膜１１１の体積と第２のゲル膜１１２の体積との差を求めることができる。
【００３３】
第２のゲル膜１１２の接続部１１３と反対側の末端は、位置が固定された固定部１１４であるため、第２のゲル膜１１２の体積が変化すると、第２のゲル膜１１２の接続部１１３側の末端の位置は、図２の−方向に移動する。接続部１１３において第２のゲル膜１１２と接続されている第１のゲル膜１１１も同様に移動する。温度、水分量又は塩濃度等が変化した場合には、第１のゲル膜１１１の体積の変化と第２のゲル膜１１２の体積の変化とはほぼ等しくなるため、第１のゲル膜１１１の接続部１１３と反対側の末端の位置は移動しない。一方、グルコース濃度が上昇した場合には、第１のゲル膜１１１の体積変化は、第２のゲル膜１１２の体積変化よりも大きくなる。このため、第１のゲル膜１１１の接続部１１３と反対側の末端は、図２の＋方向に移動する。従って、第１のゲル膜１１１の接続部１１３と反対側の末端の位置の変化量を測定すれば、第１のゲル膜１１１の長さＬ１と第２のゲル膜１１２の長さＬ２との差Ｌ１−Ｌ２を求めることができる。これにより、温度、水分量又は塩濃度等の変化を補償した血糖値を求めることができる。
【００３４】
なお、第２のゲル膜１１２の接続部１１３と反対側の末端を固定部１１４とする場合について説明したが、固定部１１４は必ずしも末端である必要はない。固定部１１４は第２のゲル膜１１２の任意の位置に設けることができる。固定部１１４が末端でない場合には、固定部１１４よりも接続部１１３側の部分は図２の−方向に移動し、接続部１１３と反対側の部分は＋方向に移動する。このため、固定部１１４が末端でない場合には、補正が必要となる。しかし、固定部１１４と末端との位置のずれが小さい場合には誤差として無視することができる。
【００３５】
また、第１のゲル膜１１１の末端部の位置の変化を測定する場合について説明したが、第１のゲル膜１１１はほぼ均一に膨張するため、第１のゲル膜１１１の任意の部位についてその位置の変化を測定すればよい。
【００３６】
接続部１１３の位置も末端である必要はない。第１のゲル膜１１１と第２のゲル膜１１２とが、任意の箇所において接続されていればよい。但し、接続部１１３と、位置の変化を測定する部位との間隔が大きい方が測定が容易となる。接続部１１３は、第１のゲル膜１１１と第２のゲル膜１１２とが接続されていればどのような構成としてもよい。第１のゲル膜１１１と第２のゲル膜１１２とが基本骨格が同じポリマーである場合には、モノマーを重合して第１のゲル膜１１１及び第２のゲル膜１１２を形成する際に、接続部１１３となる部分においてモノマーの相互拡散が生じるようにすれば容易に接続部１１３を形成することができる。また、接着材等により第１のゲル膜１１１と第２のゲル膜１１２とを接着してもよい。
【００３７】
具体的には図３に示すように、反応部１０１を検出部１０２の上に配置したグルコースセンサーとすればよい。検出部１０２は、基板（図示せず）の上にホール素子１２２が形成された半導体チップとすればよい。半導体チップは、封止樹脂１２４等により封止されている。また、第１のゲル膜１１１は、接続部１１３と反対側の末端に磁性体の微粒子が埋め込まれた測位部１１５を有している構成とする。樹脂封止された検出部１０２の上面（反応部搭載面）には、第２のゲル膜１１２を固定するための固定ピン１２５が設けられている。第２のゲル膜１１２の接続部１１３と反対側の末端は、ホール素子１２２の上に位置するように固定ピン１２５により固定されており、第１のゲル膜１１１の測位部１１５もホール素子１２２の上に位置している。このような構成とすることにより、測位部１１５の位置をホール素子１２２により検出することができる。予め検量線を作成しておくことにより、測位部１１５の位置からグルコース濃度を求めることができる。半導体チップに、検量線の記憶部、演算部及び表示装置の駆動部等を設けておけば、グルコース濃度を容易に測定することができる。また、半導体チップに無線通信機能を付与し、得られたデータを別に設けられた測定機器本体に送信する構成としてもよい。この場合には、検量線の当てはめ等の演算は測定機器本体において行ってもよい。
【００３８】
測位部１１５に添加する磁性体の微粒子は、磁荷を帯びていればどのようなものであってもよい。例えば、フェライト等の強磁性体微粒子等とすればよい。図３においては第２のゲル膜１１２を固定ピン１２５により固定する方法を示したが、どのような方法により固定してもよい。例えば、接着剤等により反応部搭載面の上に固定してもよい。但し、固定ピン１２５により固定すれば、反応部１０１の交換を容易に行うことができる。また、固定ピン１２５はどのような方法により形成してもよいが、検出部１０２が樹脂封止された半導体チップである場合には、封止樹脂にバリを発生させることにより容易に固定ピン１２５を形成することができる。
【００３９】
図３においては、測位部の位置をホール素子１２２により検出する例を示したが、測位部の位置を他の方法により検出してもよい。例えば、図４に示すように測位部の位置を電気的に検出する構成としてもよい。この場合、図４に示すように検出部１０２である半導体チップの上面には、互いに間隔をおいて平行に延びる第１の電極パッド１３１及び第２の電極パッド１３２が設けられている。第１の電極パッド１３１には定電流電源１３４及び電圧検出部１３５が接続されており、第２の電極パッド１３２は接地されている。第１のゲル膜１１１の接続部１１３と反対側の端部には、金属微粒子、グラファイト若しくはカーボンファイバー等の炭素微粒子又はその他の導電性微粒子等を埋め込んだ高電気伝導部である測位部１１６が設けられている。測位部１１６は、第１のゲル膜１１１の他の部分と比べて電気伝導度が高ければよい。
【００４０】
第１のゲル膜１１１は、第１の電極パッド１３１及び第２の電極パッド１３２の上に配置されており、高電気伝導部である測位部１１６により第１の電極パッド１３１と第２の電極パッド１３２とは電気的に接続されている。このため、測位部１１６の位置が変化すると、第１の電極パッド１３１の所定の位置から第２の電極パッド１３２の所定の位置までの経路の長さが変化し、経路の抵抗値が変化する。このため、経路の抵抗値を検出部１０２に設けた抵抗値測定部により測定すれば、測位部１１６の位置を検出することができる。
【００４１】
図４において、抵抗値測定部は定電流電源１３４及び電圧検出部１３５を有している。図４において第１の電極パッド１３１の一端に、定電流電源１３４が接続され、第２の電極パッド１３２の一端が接地されているため、経路の抵抗値の変化は電圧の変化として現れる。このため、電圧検出部１３５により経路に印加されている電圧を測定することにより、測位部１１６の位置を検出することができる。
【００４２】
図４は、第１の電極パッド１３１及び第２の電極パッド１３２が、半導体チップの素子搭載面の上に設けられ、第１のゲル膜１１１の底面と接する例を示したが、第１の電極パッド１３１及び第２の電極パッド１３２は測位部１１６を介して導通すればよい。このため、第１の電極パッド１３１及び第２の電極パッド１３２の少なくとも一方が素子搭載面から突出しており、第１のゲル膜１１１の側面と接するような構成としてもかまわない。また、定電流電源１３４及び電圧検出部１３５は、第１の電極パッド１３１、測位部１１６及び第２の電極パッド１３２により形成される経路に一定の電流を供給し、経路に印加される電圧の変化を検出できればどのように接続されていてもよい。
【００４３】
図５に示すように、静電容量により測位部の位置を検出してもよい。この場合、図５に示すように検出部１０２である半導体チップには、金属配線１４１が埋め込まれており、第１のゲル膜１１１の末端部には金属膜１１７Ａが埋め込まれた測位部１１７が設けられており、第１のゲル膜１１１は金属配線１４１の上方に配置されている。測位部１１７の位置が移動すると、金属配線１４１と金属膜１１７Ａとの対向する部分の面積が変化し、金属配線１４１と金属膜１１７Ａとの間の静電容量が変化する。このため、検出部１０２に設けた静電容量測定部により金属配線１４１と測位部１１７との間の静電容量を測定することにより、測位部１１７の位置を検出することができる。
【００４４】
図５において静電容量測定部は、金属配線１４１に接続された定電圧電源１４２及び電流検出部１４３を有している。電流検出部１４３は接地されており、金属膜１１７Ａは被験者の体を介して接地されているため、金属配線１４１と金属膜１１７Ａとの間の静電容量の変化は電流値の変化として現れる。従って、電流の値から測位部１１７の位置を検出することができる。
【００４５】
図６に示すように、透磁率により測位部の位置を検出してもよい。この場合、図６に示すように検出部１０２である半導体チップには互いに対向する第１の誘導コイル１５１及び第２の誘導コイル１５２が設けられており、第１のゲル膜１１１の末端部には磁性粒子等を含む高透磁率部である測位部１１８が設けられており、第１のゲル膜１１１は第１の誘導コイル１５１及び第２の誘導コイル１５２の間に配置されている。測位部１１８の位置が移動すると、相互インダクタンスが変化する。このため、第１の誘導コイル１５１と第２の誘導コイル１５２との間の相互インダクタンスを検出部１０２に設けた相互インダクタンス測定部により測定すれば、測位部１１８の位置が検出できる。
【００４６】
図６において相互インダクタンス測定部は、第１の誘導コイル１５１に接続された交流電源１５４と、第２の誘導コイル１５２に接続された電流検出部１５５とを有している。従って、相互インダクタンスの変化は、第２の誘導コイル１５２に流れる電流の変化として現れ、電流の変化を検出すれば、測位部１１８の位置を検出することができる。
【００４７】
この他、第１のゲル膜１１１の膨潤による変位を測定できればどのような方法により測定を行ってもよい。例えば、温度変化を利用する方法等であってもよい。また、測位部を第１のゲル膜１１１の末端部に設ける場合について説明したが、測位部を末端に設ける必要はない。第１のゲル膜１１１の任意の位置に設けることができる。
【００４８】
なお、第１のゲル膜１１１及び第２のゲル膜１１２の両方に測位部を設け、両方の測位部の位置を検出してもかまわない。この場合には、接続部１１３を固定すればよい。第１のゲル膜１１１の測位部と第２のゲル膜１１２の測位部とは、グルコースが存在していない場合に等しくなるように設定することが好ましい。しかし、異なっていてもかまわない。
【００４９】
本実施形態のバイオセンサーは、ゲルにより形成された反応部１０１を被験者の皮膚に貼り付けておくだけで、血糖値を測定することができる。このため、被験者への負担が少なく連続的に測定を行うことができる。連続的に収集したデータは、半導体チップにメモリ部等を設け蓄積すればよい。また、半導体チップに無線通信機能を付加し、診断機器等にデータを無線送信してもよい。例えば、ボディーエリアネットワーク等を用いて、バイオセンサーとは別に設けた携帯端末にデータを送信する構成とすればバイオセンサーをさらに小型化し、バイオセンサーの装着による違和感をより低減することができる。
【００５０】
血糖値の変化をリアルタイムで追跡するためには、第１のゲル膜１１１及び第２のゲル膜１１２の内部へグルコースが迅速に拡散することが好ましい。また、温度変化等も迅速に第１のゲル膜１１１及び第２のゲル膜１１２伝わることが好ましい。このため、第１のゲル膜１１１及び第２のゲル膜１１２は、できるだけ小さくすることが好ましい。特に、厚さを薄くした方が応答性が向上する。しかし、第１のゲル膜１１１及び第２のゲル膜１１２を微細化すると、第１のゲル膜１１１及び第２のゲル膜１１２の体積の変化量の絶対値も小さくなる。このため、測定誤差が大きくなるおそれがある。このため、図７に示すように、複数の反応部１０１を検出部１０２の上に設ける構成としてもよい。検出部１０２は、反応部１０１のそれぞれに対応するホール素子１２２を有している。複数の反応部１０１の変化を積算することにより反応部１０１を微細化した場合にも精度良く血糖値を測定することが可能となる。なお、ホール素子以外のセンサーを用いる構成としてもよい。
【００５１】
例えば、１ｍｍ角程度の半導体チップである検出部１０２の上に、５×５個程度のマトリックス状に反応部１０１を配置すればよい。このようにすれば、各反応部１０１のサイズは０．１ｍｍ角程度とすることができる。第１のゲル膜１１１は、グルコース濃度の変化により１％〜１０％程度の体積の変化が生じるため、十分に検出することが可能である。
【００５２】
検出部１０２の上に複数の反応部１０１を配置する場合には、検出部１０２に各反応部１０１のデータを積算したり、平均を求めたりする演算部を設けてもよい。また、演算部はバイオセンサーとは別に設けてもよい。検出部１０２は、測位部の位置の読み取りと、読み取ったデータを無線通信等により測定器本体に転送し、測定器本体において各種のデータ処理を行うようにした方が、バイオセンサーの小型化及び低消費電力化に有利である。
【００５３】
第１のゲル膜１１１は、フェニルボロン酸基を有する、高分子のゲルにより形成すればよい。例えば、４−（ジヒドロキシボロノ）スチレン、３−（メタ）アクリルアミドフェニルボロン酸、Ｎ−（４’−ビニルベンジル）−４−フェニルボロン酸カルボキサミド、３−（（メタ）アクリルアミジルグリシルアミド）フェニルボロン酸、３−（メタ）アクリルアミド−２−トリフルオロメチルフェニルボロン酸、３−（メタ）アクリルアミド−４−ペンタフルオロエチルフェニルボロン酸、５−（メタ）アクリルアミド−２−ヘプタフルオロプロピルフェニルボロン酸、５−（（メタ）アクリルアミジルグリシルアミド）−２−ヘプタフルオロプロピルフェニルボロン酸、５−（メタ）アクリルアミド−２，４，６−ビス（ヘプタフルオロプロピル）フェニルボロン酸、３−（メタ）アクリルアミド−２−（１，１，２，２，３，３−ヘキサフルオロプロピル）フェニルボロン酸、３−（メタ）アクリルアミド−４−（１−クロロ−１，１，２，２，３，３−ヘキサフルオロプロピル）フェニルボロン酸、又は５−（メタ）アクリルアミド−２−（ペルフルオロ−１，４−ジメチル２，５−ジオキサオクチル）フェニルボロン酸等のモノマーを、他のモノマーと共重合した共重合体からなるゲルにより形成すればよい。共重合するモノマーは、基本構造が同じで側鎖にフェニルボロン酸基を有していないモノマーとすればよい。また、フェニルボロン酸の一部にフッ素等が導入されたフェニルボロン酸の誘導体等が導入されたモノマーを共重合した共重合体としてもよく、フェニルボロン酸基に代えてボロン酸基を含有している共重合体であってもよい。さらに、グルコースと結合してゲル内に荷電基を増加させることができれば、どのような官能基であってもよい。
【００５４】
第２のゲル膜１１２は、温度、水分量、塩濃度及びｐＨ等による体積の変化が第１のゲル膜１１１と等しく、グルコースにより体積の変化が生じないことが好ましい。但し、温度、水分量、塩濃度及びｐＨ等による体積の変化が第１のゲル膜１１１と完全に一致している必要はない。また、グルコースによる体積変化が、完全に０でなくても、第１のゲル膜１１１よりも小さければよい。第２のゲル膜１１２は、基本骨格が第１のゲル膜１１１と同一で、側鎖にフェニルボロン酸基等を有していない重合体とすればよい。また、基本骨格が第１のゲル膜１１１と同一で、側鎖にグルコースに対する応答性を有していないフェニルボロン酸の誘導体等を導入した重合体としてもよい。但し、第１のゲル膜１１１とは全く異なった基本骨格を有する重合体であってもよい。
【００５５】
具体的に、ポリＡＡＰＢＡ−ＡＡｍゲルのグルコースによる変化を測定した結果を以下に示す。ポリＡＡＰＢＡ−ＡＡｍゲルを水素イオン濃度（ｐＨ）が８．６のグルコース溶液に浸漬したところ、図８に示すように、グルコース濃度に応じてゲルの重量が増加することが確認された。なお、測定には、厚さが１ｍｍ、直径が３ｍｍの円盤状に成型したゲルを８枚ずつ用いた。グルコース溶液への浸漬時間は９０分間とし、溶液から取り出した直後の重量を電子天秤により測定した。
【００５６】
次に、ポリＡＡＰＢＡ−ＡＡｍゲルからなる第１のゲル膜１１１と、ポリＡＡｍゲルからなる第２のゲル膜１１２とを有する反応部１０１を形成し、第１のゲル膜１１１の長さＬ１と第２のゲル膜１１２の長さＬ２との差Ｌ１−Ｌ２を測定した結果を図９に示す。
【００５７】
測定に用いたゲルは、図１０に示すような鋳型を用いて形成した。まず、鋳型のＡ部分にＡＡｍ水溶液を注入し、重合開始剤を加えて重合を開始した。重合開始から５分後、ＡＡＰＢＡ、ＡＡｍ及び重合開始剤を含む混合水溶液を鋳型のＢ部分に注入した。Ａ部分に注入されたＡＡｍの未重合モノマーと、Ｂ部分に注入されたＡＡＰＢＡ及びＡＡｍのモノマーとが互いに水溶液中を拡散しながら重合される。このため、ポリＡＡＰＢＡ−ＡＡｍからなる第１のゲル膜１１１とポリＡＡｍからなる第２のゲル膜１１２とを接続する接続部１１３が形成される。
【００５８】
得られた反応部１０１をｐＨ８．６のグルコース水溶液に３時間浸漬した後、第１のゲル膜１１１の長さＬ１と第２のゲル膜１１２の長さＬ２とを測定しその差Ｌ１−Ｌ２を求めた。図９に示すように、グルコース濃度に応じてＬ１−Ｌ２の値が変化した。
【００５９】
このように、第１のゲル膜１１１と第２のゲル膜１１２との長さの差を測定することにより、グルコース以外の外的要因の影響をほとんど受けることなく、血糖値を正確に測定できることは明らかである。
【００６０】
本実施形態において、バイオマーカーが血糖である例を示したが、皮膚表面に拡散するバイオマーカーであれば、同様の方法により測定することができる。例えば、中性脂肪、コレステロール及びストレスマーカーの測定を同様の方法により行うことができる。
【産業上の利用可能性】
【００６１】
本発明に係るバイオセンサーは、非侵襲で且つ連続的にバイオマーカーを測定でき、特に、皮膚表面に分泌されるバイオマーカーを連続的に測定する検査機器等に用いるバイオセンサーとして有用である。
【符号の説明】
【００６２】
１０１      反応部
１０２      検出部
１１１      第１のゲル膜
１１２      第２のゲル膜
１１３      接続部
１１４      固定部
１１５      測位部
１１６      測位部
１１７      測位部
１１７Ａ    金属膜
１１８      測位部
１２２      ホール素子
１２４      封止樹脂
１２５      固定ピン
１３１      第１の電極パッド
１３２      第２の電極パッド
１３４      定電流電源
１３５      電圧検出部
１４１      金属配線
１４２      定電圧電源
１４３      電流検出部
１５１      第１の誘導コイル
１５２      第２の誘導コイル
１５４      交流電源
１５５      電流検出部
【手続補正２】
【補正対象書類名】図面
【補正対象項目名】図６
【補正方法】変更
【補正の内容】
【図６】
2013027623.tif 000013